(57)【要約】【課題】  能率よく短時間でストレートパーマを実施することができる調髪用ブラシを提供する。【解決手段】  調髪用ブラシを握柄部を有する本体部２と、本体部２に取り付けられた発熱部６と、発熱部６に当接した支持台８と、支持台８に多数植立されたブラシ毛１２ａ、１２ｂとで構成し、ブラシ毛１２ａ、１２ｂとを本体部２を動かす方向に予め定める角度θだけ傾斜させ、ブラシ毛１２ａの先端には非金属製のキャップ１４を取り付け、ブラシ毛１２ａの先端のキャップ１４が頭皮に当接するとき、ブラシ毛１２ｂの先端が頭皮に当接しないように形成する。【選択図】  図３
2006136646.tif 000002
【特許請求の範囲】
【請求項１】
縮毛矯正としてのストレートパーマを実施する際の調髪用ブラシであって、
握柄部を有する本体部と、
前記本体部に取り付けられた発熱部と、
前記発熱部に当接した熱伝導性の支持台と、
前記支持台に予め定める間隔をあけて植立された熱伝導性の多数のブラシ毛とを備え、
前記ブラシ毛は、ストレートパーマを実施する際前記本体部を動かす方向に予め定める角度傾斜し、且つ前記ブラシ毛の先端は、頭部の輪郭に沿った曲線状に整列されていることを特徴とする調髪用ブラシ。
【請求項２】
前記支持台及び前記ブラシ毛は金属製であることを特徴とする、請求項１に記載の調髪用ブラシ。
【請求項３】
前記ブラシ毛の先端を頭皮から離隔させておくための離隔機構が備えられたことを特徴とする、請求項１又は２に記載の調髪用ブラシ。
【請求項４】
前記離隔機構は、前記ブラシ毛の先端に被せられた非金属製のキャップからなることを特徴とする、請求項３に記載の調髪用ブラシ。
【発明の詳細な説明】
【技術分野】
【０００１】
本発明は、縮毛矯正としてのストレートパーマを実施する際の調髪用ブラシに関し、特に縮毛や癖毛などの癖を矯正し滑らかなストレート毛とするための調髪用ブラシに関するものである。
【背景技術】
【０００２】
従来より、毛髪の縮毛や癖毛などの癖を矯正し滑らかなストレート毛とするためのいわゆるストレートパーマにおいては、毛髪の一部を髪挟みのアイロンで挟み加熱することにより縮毛や癖毛などの矯正作業が行われてきた。このような方法によると、通常アイロンが摂氏１００度以上の温度になるため、アイロンが頭皮に接触すると、火傷する畏れがあった。そのため、素人がアイロンを扱うことはほとんど不可能であり、美容師や理容師のような専門家が扱う場合でも、アイロンが頭皮に接触しないように配慮しつつ作業するため、作業の能率が上がらずストレートパーマを実施するには時間がかかるという問題があった。
【０００３】
この問題に対処するため、例えば下記特許文献にはブラシ型のヘアーアイロンブラシにおいて、ブラシ本体に多数の加熱突起体と非加熱突起体とを突設し、非加熱突起体の長さを加熱突起体の長さより大きくすることにより、非加熱突起体の先端が頭皮に当接した際、加熱突起体の先端が頭皮に当接しないような構造が記載されている。
【特許文献１】実開平５−９５４０１号公報
【発明の開示】
【発明が解決しようとする課題】
【０００４】
しかしながら、上記特許文献１の場合、加熱突起体及び非加熱突起体がブラシの片面から突設され、又、加熱突起体及び非加熱突起体自体がブラシの片面からほぼ垂直に突設された直線状の突起体であるため加熱突起体及び非加熱突起体が頭部の輪郭に沿わないという問題がある。つまり、上記文献に記載された形状のブラシ型ヘアーアイロンを使用する場合はブラシを頭部の輪郭に沿って動かす必要がある。このことは、作業能率の低減に繋がることを意味し、作業能率の低減分だけ上記形状のブラシ型ヘアーアイロンを使用したストレートパーマの実施に時間がかかるという問題があった。
【０００５】
本発明は、このような事情に鑑みなされたものであり、その目的とするところは、能率よく短時間でストレートパーマを実施することができる調髪用ブラシを提供することにある。
【課題を解決するための手段】
【０００６】
上記目的を達成するために、請求項１に記載の調髪用ブラシは、縮毛矯正としてのストレートパーマを実施する際の調髪用ブラシであって、握柄部を有する本体部と、前記本体部に取り付けられた発熱部と、前記発熱部に当接した熱伝導性の支持台と、前記支持台に予め定める間隔をあけて植立された熱伝導性の多数のブラシ毛とを備え、前記ブラシ毛は、ストレートパーマを実施するとき前記本体部を動かす方向に予め定める角度傾斜し、且つ前記ブラシ毛の先端は、頭部の輪郭に沿った曲線状に整列されていることを特徴としている。
【０００７】
このような構成によると、ブラシ毛がブラシの本体部を動かす方向に傾斜しているため、本体部を毛髪の方向に沿って動かすとブラシ毛をその根元まで充分深く毛髪の中に挿入することができブラシ毛で毛髪を能率よく加熱することができる。又、ブラシ毛の先端が頭部の輪郭に沿った曲線状に整列されているため、ブラシ毛の位置によって毛髪に対する加熱力に差が生じないので毛髪を万遍なく加熱することができる。
【０００８】
又、請求項２に記載の発明は、請求項１に記載の発明において、前記支持台及び前記ブラシ毛は金属製であることを特徴としている。
このような構成によると、支持台を加熱することにより、支持台の熱をブラシ毛に伝達することができる。従って、支持台やブラシ毛に直接加熱機構を設ける必要がないので支持台やブラシ毛の構造を簡単にすることができる。
【０００９】
又、請求項３に記載の発明は、請求項１又は２に記載の発明において、前記ブラシ毛の先端を頭皮から離隔させておくための離隔機構が備えられたことを特徴としている。
このような構成によると、加熱されたブラシ毛が頭皮に当接することを防止することができる。
【００１０】
又、請求項４に記載の発明は、請求項３に記載の発明において、前記離隔機構は、前記ブラシ毛の先端に被せられた非金属製のキャップからなることを特徴としている。
このような構成によると、ブラシ毛とキャップの材質が異なるため、キャップの温度をブラシ毛の温度より低い状態に保つことができる。
【発明の効果】
【００１１】
請求項１に記載の発明によれば、能率よく短時間でストレートパーマを実施することができる。又、発熱部と支持台が別体から構成されているため、予めブラシ毛の数、ブラシ毛の間隔及びブラシ毛の傾斜角度などが異なる支持台を準備しておき、毛髪の縮毛や癖毛の程度あるいは毛髪の太さや量などに応じて最も適切な支持台と組み替えることができる。従って、どのような毛髪の縮毛や癖毛あるいは毛髪の太さや量などのストレートパーマ実施にも容易に対応することができる。更に、発熱部と支持台が別体であるため、支持台の洗浄を容易に行うことができる。又、仮にブラシ毛が折損した場合でもブラシ毛が植立された支持台だけを交換すればよく、発熱部や本体部を交換する必要がない。従って、調髪用ブラシの維持費を最小限に抑えることができる。
【００１２】
請求項２に記載の発明によれば、金属同士の熱伝導により支持台の熱が迅速にブラシ毛に伝達されるため本体部を電源に接続してからブラシ毛が加熱されるまでの時間が短くて済む。つまり、本体部を電源に接続後、使用可能になるまでの待ち時間を短くすることができる。
【００１３】
請求項３に記載の発明によれば、ストレートパーマを行う際に頭皮が火傷を受けることを防止することができる。
請求項４に記載の発明によれば、ブラシ毛にキャップを被せるため、ブラシ毛の長さは全て等しい一種類に設定しておくことができる。そのため、ブラシ毛の種類を増やす必要がないので調髪用ブラシの製造原価を低減させることができる。
【発明を実施するための最良の形態】
【００１４】
以下に、本発明に係る調髪用ブラシの実施形態について添付図面を参照して説明する。
図１は、調髪用ブラシ全体を示す図である。図２は、図１のＡ方向から見た支持体及び支持体に植立されたブラシ毛を示す斜視図である。図３は、図１のＢ−Ｂ断面を示す断面図である。
【００１５】
図１乃至図３を参照して調髪用ブラシ１の構造について説明する。図１に示す調髪用ブラシ１は、本体部２と握柄部４とから構成されている。
本体部２の片面には、図３に示すように、発熱部６と支持台８とが取り付けられている。発熱部６は、平板状の発熱体であり本体部２にねじ（不図示）などで固定されている。発熱体は、例えば電力供給を受けて発熱する周知の抵抗式発熱体であるのでここでは詳細な説明を省略する。
【００１６】
支持台８は、発熱部６に当接しており、発熱部６にねじ（不図示）などで取り付けられている。発熱部６からの熱は、支持台８に伝えられる。支持台８は、図１及び図２に示すように、細長い直方体の支持体８ａ、８ｂ、・・・、８ｊから構成されている。支持体８ａ、８ｂ、・・・、８ｊには、多数のブラシ毛１２がほぼ一直線状に植立されている。支持体８ａ、８ｂ、・・・、８ｊは、例えばアルミニウム合金などの金属製である。従って、支持体８の熱は、ブラシ毛１２に伝えられる。なお、支持体８ａ、８ｂ、・・・、８ｊを一体的に成形することもできる。
【００１７】
図３に示すブラシ毛には、２種類のブラシ毛１２ａとブラシ毛１２ｂとがある。ブラシ毛１２ａ、１２ｂは、図３に示すように、支持台８の上面から垂直上方に植立し途中から垂直方向より予め定める角度θだけ傾斜している。ブラシ毛１２ａの先端には、キャップ１４が被せられている。ブラシ毛１２ａは、支持台８の両側端に配設された支持体８ａと８ｊの各両端部に１個ずつ配置され、更に中央部に配設された支持体８ｇの中央部付近に２個配置されている
ブラシ毛１２ｂは、ブラシ毛１２ａと同一形状であるが、先端にはキャップ１４が被せられていないものである。このようにすると、ブラシ毛１２ａ、１２ｂの長さを全て等しい一種類に設定しておくことができる。そのため、ブラシ毛の種類を増やす必要がないので調髪用ブラシ１の製造原価を低減させることができる。ブラシ毛１２ｂの先端部には、図2に示すように、丸み１２ｃが付けられている。丸み１２ｃを付けることにより頭皮や手指にブラシ毛１２ｂの先端部が触れても痛さを感じなくて済む。又、ブラシ毛１２ｂの先端は、図２に示すように、頭部の輪郭に沿った曲線Ｒを形成するように整列されている。ブラシ毛１２ａ、１２ｂは前述のように金属製である。
【００１８】
なお、本願発明者が調髪用ブラシ１を用いて種々の実験を行ったところ、次の寸法諸元を備えた調髪用ブラシ１が一般にストレートパーマに対して効果的であることが判明した。即ち、支持台８を、１０個の支持体８ａ、８ｂ、・・・、８ｊから構成した。そして、支持台８の両側端に配設された支持体８ａと８ｊに植立されたブラシ毛はそれぞれ２０〜２５本で各ブラシ毛の間隔は約３ｍｍであった。支持体８ａと８ｊとの間の中間部に配設された支持体８ｂ〜８ｉに植立されたブラシ毛はそれぞれ３５〜４０本で各ブラシ毛の間隔は約２ｍｍであった。
【００１９】
但し、予めブラシ毛の数、各ブラシ毛の間隔及びブラシ毛の傾斜角度が異なる支持台を準備しておき、毛髪の縮毛や癖毛の程度あるいは毛髪の太さや量などに応じて最も適切な支持台と組み替えることができる。
【００２０】
キャップ１４は、その内径がブラシ毛１２ａ、１２ｂより僅かに大きい中空部を有する筒状の部材である。キャップ１４は、例えば木製や樹脂製の非金属製である。従って、キャップ１４の表面にはブラシ毛１２ａの熱が直接は伝達されず、キャップ１４の表面を頭皮が熱く感じない温度に抑えることができる。キャップ１４は、ブラシ毛１２ａの先端に被せて例えば接着剤などでブラシ毛１２ａに固定することができる。
【００２１】
握柄部４の一端には電送線１０ａが取り付けられ、電送線１０ａの他端にはコンセント１０が設けられており、コンセント１０を電源に接続することができる。
次に、図１乃至図５を参照して、調髪用ブラシ１の使用方法について説明する。図１に示すコンセント１０を電源に差し込むと、図２に示す発熱部６が発熱し、発熱部６に当接した支持台８を構成する支持体８ａ、８ｂ、・・・、８ｊが加熱される。支持体８ａ、８ｂ、・・・、８ｊが加熱されると、支持体８ａ、８ｂ、・・・、８ｊに植立された多数のブラシ毛１２ａ、１２ｂが加熱される。
【００２２】
この状態で、握柄部４を手に持って、図４に示すように、調髪用ブラシ１をＣ方向に向かって動かし毛髪１６を加熱する。ブラシ毛１２ａ、１２ｂは、図４に示すＣ方向に傾斜しているので、毛髪１６がブラシ毛１２ａ、１２ｂの間を通る際、加熱されたブラシ毛１２ａ、１２ｂによって縮毛や癖毛などが矯正され滑らかなストレート毛とすることができる。
【００２３】
そのときブラシ毛１２ａの先端に取り付けられたキャップ１４のキャップ先端部１４ａが頭皮１８に当接する。キャップ先端部１４ａは、非金属製であるのでブラシ毛１２ａより低温に保たれている。キャップ１４のキャップ先端部１４ａが頭皮１８に当接しても、ブラシ毛１２ｂの先端部が頭皮１８に当接しないので頭皮が熱く感じることはない。従って、頭皮１８が火傷を受けることを防止することができる。
【００２４】
又、各支持台に植立されたブラシ毛１２ａ、１２ｂの先端は、図５に示すように、ほぼ頭部の輪郭に沿った曲線Ｒを形成するように整列されているので調髪用ブラシ１を頭部に沿って回転させる必要がない。
【００２５】
更に、ブラシ毛１２ａや１２ｂが折損した場合でもブラシ毛１２ａや１２ｂが植立された支持体８ａ、８ｂ、・・・、８ｊだけを交換すればよく、発熱部６や本体部２を交換する必要がない。従って、調髪用ブラシ１の維持費を最小限に抑えることができる。又、発熱部６と支持台８が別体であるため、支持台８の洗浄を容易に行うことができる。
【００２６】
その上、毛髪１６に例えばケラチンなどの栄養剤を添加する場合、従来は液状の栄養剤を毛髪１６にスプレーなどで吹き付けた後遠赤外線ヒータなどを用いて暖めていたが、本発明によればスプレーなどで栄養剤が吹き付けられた毛髪１６を調髪用ブラシ１で直接加熱することができるので栄養剤添加の作業時間を短縮することができる。
【００２７】
なお、本願発明ではブラシ毛１２ａにキャップ１４を被せたが、キャップ１４を被せる代わりにブラシ毛１２ａを樹脂などの非金属材料で作ることもできる。
以上本発明に係る一実施形態について説明したが、請求項３に記載の離隔機構は、キャップ１４及びキャップ先端部１４ａが相当する。
【図面の簡単な説明】
【００２８】
【図１】調髪用ブラシ全体を示す図である。
【図２】図１のＡ方向から見た支持体及び支持体に植立されたブラシ毛を示す斜視図である。
【図３】図１のＢ−Ｂ断面を示す断面図である。
【図４】調髪用ブラシの使用状況を示す図である。
【図５】調髪用ブラシの使用状況を示す図である。
【符号の説明】
【００２９】
１・・・調髪用ブラシ                  ２・・・本体部
４・・・握柄部                        ６・・・発熱部
８・・・支持台                        ８ａ、８ｂ、８ｃ、・・・、８ｊ・・・支持体
１０・・・コンセント                  １０ａ・・・電送線
１２・・・ブラシ毛
１２ａ・・・キャップ１４が被せられたブラシ毛
１２ｂ・・・キャップ１４が被せられていないブラシ毛
１２ｃ・・・丸み                      １４・・・キャップ
１４ａ・・・キャップ先端部            １６・・・毛髪
１８・・・頭皮
【図１】
2006136646.tif 000003
【図２】
2006136646.tif 000004
【図３】
2006136646.tif 000005
【図４】
2006136646.tif 000006
【図５】
2006136646.tif 000007